(57)【要約】【目的】 外観検査が容易な半導体装置を提供すること。【解決手段】 半導体装置１０１は、半導体基板１０３を有する。半導体基板１０３の裏面１０５の周辺領域には段差部１０７が設けられている。この段差部１０７は、外観検査装置で使用されるレーザー光線を乱反射させる作用を果たす。従って、裏面が鏡面状態である半導体装置１０１が実装基板に搭載された場合であっても、半導体装置１０１で反射されるレーザー光線の強度と、実装基板で反射されるレーザー光線の強度との差異が強調され、外観検査を容易に実行することができる。【選択図】　　図１
2004040136.tif 000002
【特許請求の範囲】
【請求項１】
　回路素子が形成された第１の主表面と、前記第１の主表面に実質的に対向する第２の主表面と、前記第１の主表面と前記第２の主表面との間の複数の側面とを有する半導体基板と、
　前記第１の主表面上部に形成され、前記回路素子と電気的に接続された複数の外部端子とを備える半導体装置であって、
　前記第２の主表面は、中央領域及び前記中央領域を囲む周辺領域を有し、前記周辺領域には第１の段差部が形成され、前記周辺領域に形成された第１の段差部の表面の粗さは前記中央領域における第２の主表面の粗さより粗いことを特徴とする半導体装置。
【請求項２】
　前記第１の段差部は、前記複数の側面に沿って形成された所定の幅を有することを特徴とする請求項１記載の半導体装置。
【請求項３】
　前記第１の段差部は、前記複数の側面のうちの第１の側面に沿って形成された第１の幅を有する第１の部分と、前記第１の側面に対向する第２の側面に沿って形成された前記第１の幅よりも狭い第２の幅を有する第２の部分とを有することを特徴とする請求項１記載の半導体装置。
【請求項４】
　前記第２の主表面は、前記複数の側面のうちの第１の側面から該第１の側面に対向する第２の側面へと至る第２の段差部をさらに有することを特徴とする請求項１記載の半導体装置。
【請求項５】
　前記外部端子は前記封止樹脂の表面から露出していることを特徴とする請求項１〜４のいずれか１つに記載の半導体装置。
【請求項６】
　前記複数の側面のうちの第１の側面側に設けられた第１の段差部は、該第１の側面と対向する前記第２の側面側に設けられた第１の段差部より深さが深いことを特徴とする請求項１記載の半導体装置。
【請求項７】
　前記第１の段差部は、前記中央領域から前記各側面に至るまで徐々に前記半導体基板の厚さを薄くするテーパ状の段差であることを特徴とする請求項１記載の半導体装置。
【請求項８】
　前記複数の側面のうちの第１の側面側に設けられた第１の段差部は、該第１の側面と対向する前記第２の側面側に設けられた第１の段差部より幅が広いことを特徴とする請求項１記載の半導体装置。
【請求項９】
　前記中央領域の所定の領域の粗さは該中央領域の他の領域の粗さより粗いことを特徴とする請求項１記載の半導体装置。
【請求項１０】
　前記中央領域は鏡面状態であることを特徴とする請求項１〜９のいずれか１つに記載の半導体装置。
【請求項１１】
　前記封止樹脂の複数の側面は前記半導体基板の前記複数の側面のうち対応するものとで平坦な面を構成することを特徴とする請求項１〜１０のいずれか１つに記載の半導体装置。
【請求項１２】
　前記第１の段差部は前記中央領域を取り囲むように設けられていることを特徴とする請求項１〜１１のいずれか１つに記載の半導体装置。
【請求項１３】
　前記外部端子は金属配線層と突起電極を介して前記回路素子と電気的に接続されていることを特徴とする請求項１〜１２のいずれか１つに記載の半導体装置。
【請求項１４】
　前記金属配線層上及び前記突起電極の周囲は前記封止樹脂にて覆われていることを特徴とする請求項１３記載の半導体装置。
【請求項１５】
　前記金属配線層は、その一端が前記半導体基板の周辺領域にて前記回路素子と電気的に接続され、他端が前記半導体基板の内側方向へ延在して該内側にて前記突起電極と電気的に接続されることを特徴とする請求項１３又は請求項１４記載の半導体装置。
【請求項１６】
　第１の主表面と、前記第１の主表面に実質的に対向する第２の主表面と、複数のスクライブラインによって区画された複数の半導体装置形成部を有する半導体ウエハを準備する工程と、
　前記半導体装置形成部の前記第１の主表面に回路素子を形成する工程と、
　前記半導体装置形成部の前記第１の主表面上部に前記回路素子と電気的に接続される複数の外部端子を形成する工程と、
　前記第２の主表面を研磨して鏡面状態とする工程と、
　前記各スクライブラインを含む前記第２の主表面の所定の領域に第１の幅を有する第１の溝を形成する工程と、
　前記第１の溝内の前記スクライブラインを研削し前記各半導体装置形成部を個片化する工程とを有することを特徴とする半導体装置の製造方法。
【請求項１７】
　前記第１の溝の中心が、前記各スクライブラインの中心と一致するように形成されることを特徴とする請求項１６記載の半導体装置の製造方法。
【請求項１８】
　前記第１の溝の中心が、前記各スクライブラインの中心からずれて形成されることを特徴とする請求項１６記載の半導体装置の製造方法。
【請求項１９】
　前記半導体装置形成部の前記第２の主表面に、前記第１の溝に直交して延在する第２の溝を形成する工程をさらに有することを特徴とする請求項１６記載の半導体装置の製造方法。
【請求項２０】
　請求項１〜１５記載の半導体装置を実装基板に実装し、該実装された半導体装置から反射される光に基づき外観の検査を行うことを特徴とする半導体装置の検査方法。
【請求項２１】
　前記外観検査は、前記実装された半導体装置に対してレーザ光を照射し、反射されたレーザ光を受光装置で受光して、その強度により外形を認識することを特徴とする請求項２０記載の半導体装置の検査方法。
【発明の詳細な説明】
【技術分野】
【０００１】
　本発明は、半導体装置及びその製造方法に関するものである。特に本発明は、裏面が露出した半導体チップを有する半導体装置及びその製造方法に関するものである。
【背景技術】
【０００２】
　携帯機器の小型化に伴い、携帯機器に搭載される半導体装置の小型化が要求されている。この要求にこたえるため、半導体チップの外形寸法とほぼ同じ外形寸法を有するチップサイズパッケージ（Chip Size Package）と称される半導体装置が出現している。チップサイズパッケージの１形態としては、ウエハレベルチップサイズパッケージ（Wafer Level Chip Size Package）もしくはウエハレベルチップスケールパッケージ（Wafer Level Chip Scale Package）と称される半導体装置が存在する。このようなウエハレベルチップサイズパッケージ（以下、ＷＣＳＰと称す。）では、半導体チップ（半導体基板）の表面は樹脂封止されているが、裏面（シリコン面）は露出した構造になっている。
【０００３】
　このようなＷＣＳＰは、半導体チップの表面側が実装基板に対面するように実装基板に搭載される。つまり、ＷＣＳＰは、半導体チップの裏面が上向きにされた状態で実装基板に搭載される。
【０００４】
　実装基板に搭載されたＷＣＳＰは、その後外観検査が実行される。外観検査の項目としては、例えば、位置検査や高さ検査がある。位置検査とは、ＷＣＳＰが実装基板上の所定の位置に搭載されているか否かを検査するものである。高さ検査とは、ＷＣＳＰが実装基板表面に対して傾斜して搭載されているか否かを検査するものである。
【０００５】
　以上の外観検査を実行する外観検査装置としては、レーザー光線を使用した装置が存在する。このような外観検査装置では、次のような動作が実行される。
【０００６】
　まず、外観検査装置に備えられたレーザー光源が、実装基板及び検査対象である電子部品（ＷＣＳＰ）に照射される。照射されたレーザー光線は、実装基板及び電子部品（ＷＣＳＰ）で反射され、外観検査装置に備えられた受光装置がこの反射されたレーザー光線を受光する。このレーザー光線の照射及び受光の一連の動作は、実装基板をＸ軸方向もしくはＹ軸方向に移動させることによって実行される。すなわち、レーザー光線は電子部品（ＷＣＳＰ）上及び実装基板上をスキャンする。外観検査装置は、上記一連の動作の間、レーザー光源から照射されたレーザー光線の強度と、受光装置が受光したレーザー光線の強度との差異を計測する。これによって、外観検査装置は、電子部品（ＷＣＳＰ）の外形（輪郭）を認識する。外観検査装置は、この認識結果に基づいて、上述した位置検査や高さ検査を実行する。
【発明の開示】
【発明が解決しようとする課題】
【０００７】
　しかしながら、ＷＣＳＰでは、ＷＣＳＰの厚さをより薄くするため、及びシリコンの線膨張係数と実装基板の線膨張係数との差を考慮して等の理由により、半導体チップの裏面（シリコン面）は研磨されているので鏡面状態である。このような鏡面状態のシリコン面を有するＷＣＳＰと実装基板とに上記のようにレーザー光線を照射した場合、実装基板で反射され受光装置に戻ってくる光の強度と、ＷＣＳＰで反射され受光装置に戻ってくる光の強度との差が小さい、すなわちコントラストが低い。そのため、外観検査装置は、ＷＣＳＰの外形（輪郭）を認識することが困難であった。従って、ＷＣＳＰが実装基板上の所定の位置に搭載されているか否か、ＷＣＳＰが実装基板表面に対して傾斜して搭載されているか否かを外観検査装置で判定することが困難であった。従って、外観検査が容易な半導体装置が望まれていた。
【課題を解決するための手段】
【０００８】
　本発明は、上記課題を克服するために考え出されたものである。本願において開示される発明のうち、代表的な半導体装置の概要は以下の通りである。
【０００９】
　すなわち、回路素子が形成された第１の主表面と、前記第１の主表面に実質的に対向する第２の主表面と、前記第１の主表面と前記第２の主表面との間の複数の側面とを有する半導体基板と、前記第１の主表面上部に形成され、前記回路素子と電気的に接続された複数の外部端子とを備えた半導体装置である。そしてこの半導体装置の第２の主表面は、中央領域及び前記中央領域を囲む周辺領域を有し、前記周辺領域には第１の段差部が形成されていることを特徴としている。
【００１０】
　また、本願において開示される発明のうち、代表的な半導体装置の製造方法の概要は以下の通りである。
【００１１】
　すなわち、第１の主表面と、前記第１の主表面に実質的に対向する第２の主表面と、複数のスクライブラインによって区画された複数の半導体装置形成部を有する半導体ウエハを準備する工程と、前記半導体装置形成部の前記第１の主表面に回路素子を形成する工程と、前記半導体装置形成部の前記第１の主表面上部に前記回路素子と電気的に接続される複数の外部端子を形成する工程と、前記各スクライブラインを含む前記第２の主表面の所定の領域に第１の幅を有する第１の溝を形成する工程と、前記第１の溝内の前記スクライブラインを研削し前記各半導体装置形成部を個片化する工程とを有することを特徴としている。
【発明の効果】
【００１２】
　本願において開示される発明のうち、代表的な半導体装置によって得られる効果を簡単に説明すると以下の通りである。
【００１３】
　すなわち、本発明の半導体装置によれば、回路素子が形成された第１の主表面に対向する第２の主表面の中央領域を囲む周辺領域に段差部を設けたので、半導体装置が実装基板に正確に搭載されたか否かを判別する外観検査を正確に実行することができる。また、以上の段差部は、半導体装置を個片化する工程で形成することができる。よって、段差部を形成するための特別な工程を実質的に加えることなく、上記の優れた半導体装置を製造することができる。
【発明を実施するための最良の形態】
【００１４】
　以下、本発明の実施の形態を図面を参照して詳細に説明する。なお、説明を容易にするため、同様の構成には同様の符号を付与する。また、重複した構成の説明は省略する。
【００１５】
　（第１の実施の形態）図１は本発明の第１の実施の形態の半導体装置１０１の裏面を示す平面透視図であり、図２は図１の線２−２についての概略断面図である。
【００１６】
　半導体装置１０１は、先に説明した通りのＷＣＳＰである。半導体装置１０１は、半導体基板１０３（半導体チップとも称される。）と、封止樹脂１１１と、複数の突起電極１１３とを有する。
【００１７】
　図１及び図２に示されている通り、この半導体装置１０１は、半導体チップの外形寸法とほぼ同じ外形寸法を有している。本実施の形態においては、半導体装置１０１は、例えば１辺が８ｍｍである略四角形状である。
【００１８】
　半導体基板１０３は、回路素子が形成された表面１０９（第１の主表面）と、この表面１０９に実質的に対向する裏面１０５（第２の主表面）と、表面１０９と裏面１０５との間を結ぶ複数の側面とを有する。半導体基板１０３はさらに、裏面１０５に形成された段差部１０７（凹部もしくは溝部とも称される。）を有する。この段差部１０７が本発明の特徴的な部分であり、この段差部１０７は、半導体基板１０３の裏面１０５の中央領域を囲む周辺領域に形成されている。すなわち、この段差部１０７は、第１の側面１１５と、この第１の側面１１５に対向する第２の側面１１７と、この第１の側面１１５及び第２の側面１１７に隣接する第３の側面１１９及び第４の側面１２１に沿って形成されている。ここで、“側面に沿って”とは、段差部１０７が側面を起点として裏面１０５に形成されていること、もしくは段差部１０７が側面の一部が削り取られることによって裏面１０５に形成されていることを意味する。
【００１９】
　封止樹脂１１１は、半導体基板１０３の表面１０９上に形成されており、表面１０９に形成された図示しない回路素子を外部環境から保護する機能を有する。
【００２０】
　複数の突起電極１１３は、封止樹脂１１１内部に形成された図示しないポスト上に形成され、このポストによって半導体基板１０３に形成された回路素子と電気的に接続されている。これらの突起電極１１３は、半導体装置１０１の外部端子として機能する。なお、ポストについては後に詳述する。
【００２１】
　図３は、本発明の第１の実施の形態の半導体装置１０１の表面を示す平面透視図であり、図４は図３の線４−４についての詳細断面図である。
【００２２】
　図３には、電極パッド３０１、金属配線層３０３及び突起電極１１３が示されている。電極パッド３０１及び金属配線層３０３は、封止樹脂１１１の下層に位置するため、電極パッド３０１及び金属配線層３０３は点線で示されている。
【００２３】
　図３に示されているように、半導体基板１０３の表面１０９の周辺領域には、１６個の電極パッド３０１が例えば１００μｍ間隔で設けられている。
【００２４】
　半導体基板１０３の表面１０９の中央領域上には、１６個の突起電極１１３が行列状に配置されている。各突起電極１１３は、対応する金属配線層３０３と図示しないポストを介して電気的に接続されている。
【００２５】
　金属配線層３０３は、外部端子の位置を半導体基板１０３の周辺部から半導体基板１０３の中央領域に実質的にシフトさせる機能を果たす。一般的に、このようなシフトは再配置と称され、故にこのようなシフトを行う金属配線層３０３は再配置配線もしくは再配線と称される。このように、外部端子として機能する突起電極１１３を半導体基板１０３の中央領域に配置させることにより、半導体装置１０１に接続される実装基板の小型化が可能となる。
【００２６】
　次に図４を使用して、半導体装置１０１の構成をより詳細に説明する。シリコンからなる半導体基板１０３の表面１０９（第１の主表面）には図示しない複数の回路素子が形成されており、半導体基板１０３の裏面１０５（第２の主表面）には、段差部１０７が設けられている。各回路素子の上部にはコンタクトホール（図示しない）を有する絶縁層４０２が形成されている。このコンタクトホール内部には図示しない導電層が形成されている。
【００２７】
　電極パッド３０１が、絶縁層４０２上に形成されている。電極パッド３０１は、上述のコンタクトホール内部に形成された導電層を介して対応する回路素子に接続されている。電極パッド３０１は、例えば、シリコンを含有するアルミニウムで構成されている。
【００２８】
　パッシベーション膜４０１が、絶縁層４０２上部及び電極パッド３０１の周縁部上に形成されている。このパッシベーション膜４０１は、例えば、窒化シリコンで構成されている。
【００２９】
　層間絶縁膜４０３が、パッシベーション膜４０１上部に形成されている。層間絶縁膜４０３は、半導体基板１０３に加えられる応力を緩和する機能を有する。層間絶縁膜４０３は、例えば、ポリイミドで構成されている。なお、後述する金属薄膜層４０５直下に位置する層間絶縁膜４０３の表面は変質している。この変質された領域は太線で示されいる。この変質された層間絶縁膜４０３が存在することにより、層間絶縁膜４０３と金属薄膜層４０５との密着性が向上する。
【００３０】
　金属薄膜層４０５が、層間絶縁膜４０３及び電極パッド３０１上に形成されている。金属薄膜層４０５は、単層でも複合層でも良いが、上層及び下層からなる複合層で構成されることが好ましい。下層膜は、電極パッド３０１との密着度が強く、上層膜を構成する物質が半導体基板１０３側へ拡散することを防止することができる材料であれば良い。この下層膜は、例えばチタンで構成されている。上層膜は、その上層に形成される金属配線層３０３との密着度が強い材料であれば良い。この上層膜は、例えば銅で構成されている。
【００３１】
　金属配線層３０３が、金属薄膜層４０５上に形成されている。金属配線層３０３は、例えば、銅で構成されている。
【００３２】
　ポスト４０７が、金属配線層３０３の表面上に形成されている。図示の例では、ポスト４０７の形状は、ほぼ円柱状である。ポスト４０７の底面は、金属配線層３０３の表面に接触しており、頂部は突起電極１１３と接触している。このポスト４０７は、金属配線層３０３と同一の材料で構成されており、高さ（金属配線層３０３の表面から封止樹脂１１５の表面に至るまでの距離）は約１００μｍである。
【００３３】
　封止樹脂１１５が、ポスト４０７の頂部を除く半導体基板１０３の表面１０９全体が覆われるように、半導体基板１０３の表面１０９上全体に形成されている。すなわち、封止樹脂１１５は、層間絶縁膜４０３、金属薄膜層４０５、金属配線層３０３及びポスト４０７の側面を覆っている。封止樹脂１１５の表面と、ポスト４０７の頂部とは、同一平面に位置している。封止樹脂１１５は、例えば不透明なエポキシ樹脂で構成されている。
【００３４】
　突起電極１１３が、ポスト４０７の上部に形成されている。突起電極１１３は、後に、図示しない実装基板の配線と接続される電極である。よって、半導体基板１０３に形成された回路素子は、電極パッド３０１、金属薄膜層４０５、金属配線層３０３、ポスト４０７及び突起電極１１３を介して、外部装置と接続される。このように、突起電極１１３は、半導体装置１０１の外部端子としての機能を有する。突起電極１１３は、例えば、半田で構成されている。また突起電極１１３は、直径が４００μｍの半円球状である。
【００３５】
　次に、半導体装置１０１を実装基板５０１へ実装する方法について、図５及び図６を用いて以下に説明する。図５は、実装基板５０１を示す平面図である。
【００３６】
　実装基板５０１の表面には、半導体装置１０１の複数の突起電極１１３に対応した複数の端子５０５が行列状に形成されている。複数の端子５０５のうちの特定の端子である端子５０９が、図面の左下に配置されている。この端子５０９は、例えば、アドレス信号A1に対応する端子であり、第１端子と称される端子である。
【００３７】
　各端子５０５には、対応する配線５０７が接続されている。これらの配線５０７は、例えば、実装基板５０１上に搭載される図示しない他の装置と接続されている。
【００３８】
　搭載領域５０３が点線で示されている。この搭載領域５０３は、半導体装置１０１が搭載される予定の領域であり、点線は半導体装置１０１の外形を示している。
【００３９】
　図６は、半導体装置１０１を実装基板５０１へ搭載する工程を示す工程図である。図６を参照して、この工程を説明する。
【００４０】
　半導体装置１０１の複数の突起電極１１３のうちの特定の突起電極１１４は、例えばアドレス信号A1に対応する外部端子であり、第１ピンと称される。ＷＣＳＰのような半導体装置１０１は、半導体ウエハから個片化された後、一旦テープ＆リールもしくはトレイに収容されるが、後の実装工程を考慮して、半導体装置１０１の方向を揃えてテープ＆リールに収容する必要がある。つまり、テープ＆リール内においては、半導体装置１０１の上記第１ピンの位置が、例えば、全て左下に位置するように、半導体装置１０１がテープ＆リール内に収容される必要がある。
【００４１】
　半導体装置１０１は、画像認識装置を備えたオートハンドラーを使用してテープ＆リールへ収容される。図示しない第１ピンマークが、上記第１ピン近傍の裏面１０５に形成されている。従って、オートハンドラーは、この第１ピンマークの位置を認識することによって、半導体装置１０１の上記第１ピンの位置が、全て左下に位置するように、半導体装置１０１をテープ＆リール内に収容する。
【００４２】
　以上のようにテープ＆リールに収容された半導体装置１０１は、画像認識装置を備えた自動実装装置によって、テープ＆リールから取り出される。もちろん、この自動実装装置も画像認識装置を備えているため、半導体装置１０１の方向は、自動実装装置により認識されている。図６（ａ）に示されているように、取り出された半導体装置１０１は、上記自動実装装置によって実装基板５０１上方に配置される。この時、第１ピン１１４と、第１端子５０９とが対応するように、半導体装置１０１が実装基板５０１に対面される。
【００４３】
　次に、図６（ｂ）に示されているように、半導体装置１０１の突起電極１１３が、実装基板５０１の複数の端子５０５と接続される。以上で実装工程が終了する。
【００４４】
　続いて、半導体装置１０１が実装基板５０１上の所定の位置に搭載されているか否か、実装基板５０１表面に対して傾斜して搭載されているか否かを検査する外観検査工程が実行される。この外観検査工程は、レーザー光線を使用した外観検査装置で実行される。
【００４５】
　まず、外観検査装置に備えられたレーザー光源が、実装基板５０１及び検査対象である半導体装置１０１にレーザー光線を照射する。照射されたレーザー光線は、実装基板５０１及び半導体装置１０１で反射され、外観検査装置に備えられた受光装置がこの反射されたレーザー光線を受光する。このレーザー光線の照射及び受光の一連の動作は、実装基板をＸ軸方向もしくはＹ軸方向に移動させることによって実行される。すなわち、レーザー光線は半導体装置１０１上及び実装基板５０１上をスキャンする。外観検査装置は、上記一連の動作の間、レーザー光源から照射されたレーザー光線の強度と、受光装置が受光したレーザー光線の強度との差異を計測する。これによって、外観検査装置は、半導体装置１０１の外形（輪郭）を認識する。外観検査装置は、この認識結果に基づいて、上述した位置検査や高さ検査を実行する。
【００４６】
　本実施の形態においては、半導体装置１０１の裏面１０５の周辺領域に段差部１０７が設けられている。従って、段差部１０７で反射されたレーザー光線の強度が、実装基板５０１で反射されたレーザー光線の強度および鏡面状態の裏面１０５で反射されたレーザー光線の強度よりも小さくなる。これは、段差部１０７の段差によって、レーザー光線が乱反射するためである。さらに、段差部１０７は、後述するように、ダイシングブレードによって形成される。よって、段差部１０７の表面（半導体基板１０３の裏面１０５の周辺領域）の状態は、半導体基板１０３の裏面１０５の中央領域（鏡面状態の裏面）よりも粗くなっている。そのため、この粗い状態の表面で反射され受光装置へ戻ってくるレーザー光線の強度が、鏡面状態の裏面で反射され受光装置へ戻ってくるレーザー光線の強度よりも小さくなる。これも、やはりこの粗い状態の表面によって、レーザー光線が乱反射するためである。
【００４７】
　段差部１０７で反射されたレーザー光線の強度と、実装基板５０１で反射されたレーザー光線の強度および鏡面状態の裏面１０５で反射されたレーザー光線の強度との差異が強調される。従って、外観検査装置は、半導体装置１０１の外形（輪郭）を確実に認識することがき、その結果、位置検査や高さ検査を正確に実行することが可能である。
【００４８】
　上述したように、本実施の形態によれば、半導体基板１０３の裏面が鏡面状態であったとしても、半導体基板１０３に設けられた段差部１０７によって、半導体装置１０１の実装状態を容易に検知することができる。従って、この外観検査工程において、正確にかつ高速に半導体装置１０１の実装ミスを判定することができる。
【００４９】
　次に、本発明の第１の実施の形態の半導体装置１０１の製造方法を以下に説明する。説明を容易にするため、突起電極１１３が形成されるまでの工程（半導体ウエハをダイシングする前の工程）を第１の工程と称し、それ以降の工程を第２の工程と称し、それぞれ説明する。第１の工程は、図７から図１０までに示され、第２の工程は、図１２から図１４までに示されている。
【００５０】
　まず最初に、第１の実施の形態の第１の工程を以下に説明する。なお、説明を容易にするため、第１の工程は、図３の線４−４に対応する箇所のみを説明する。
【００５１】
　まず、半導体ウエハ状態である半導体基板１０３の表面１０９（第１の主表面）に、図示しない複数の回路素子が形成される。次に、各回路素子の上部にはコンタクトホール（図示しない）を有する絶縁層４０２が形成される。このコンタクトホール内部には、図示しない導電層が形成される。続いて、シリコンを含有するアルミニウム膜がスパッタリング法によって絶縁層４０２上に堆積される。その後、このアルミニウムは、所定の形状にエッチングされ、図示したように電極パッド３０１として絶縁層４０２上に残存する。この電極パッド３０１は、上述の絶縁層４０２内部に形成された図示しない導電層と接続されている。（図７（Ａ））
【００５２】
　次に、シリコン窒化膜からなるパッシベーション膜４０１が、ＣＶＤ法によって絶縁層４０２及び電極パッド３０１上に形成される。その後、電極パッド３０１の中央領域上に位置するパッシベーション膜４０１が、エッチング除去される。（図７（Ｂ））
【００５３】
　次に、ポリイミドからなる層間絶縁膜４０３が、パッシベーション膜４０１及び電極パッド３０１上に形成される。（図７（Ｃ））
【００５４】
　次に、電極パッド３０１の中央領域上に位置する層間絶縁膜４０３が、エッチング除去される。（図７（Ｄ））
【００５５】
　次に、熱処理を施すことにより、ポリイミドからなる層間絶縁膜４０３が熱硬化される。この熱硬化により、電極パッド３０１上に位置する層間絶縁膜４０３が、図示の通りテーパー形状になる。電極パッド３０１の表面上にポリイミドが残存している場合は、酸素雰囲気中でプラズマエッチングによって、ポリイミドが除去される。（図７（Ｅ））
【００５６】
　次に、層間絶縁膜４０３が、アルゴンガス等の不活性ガス雰囲気中でプラズマエッチングにさらされることにより、層間絶縁膜４０３の表面が変質される。変質された表層は太線で示されている。この表層の存在により、次のステップで形成される金属薄膜４０５との密着度が向上する。（図７（Ｆ））
【００５７】
　次に、金属薄膜層４０５が、スパッタリング法によって層間絶縁膜４０３及び電極パッド３０１上に形成される。（図７（Ｇ））
【００５８】
　次に、レジスト８０１が金属薄膜層４０５上に形成される。レジストの厚さは例えば１０μｍ程度である。続いて、図示された所定の領域に位置するレジスト８０１がエッチング除去される。（図８（Ａ））
【００５９】
　次に、金属配線層３０３が、電界メッキによって露出された金属薄膜層４０５上に選択的に形成される。なお、金属配線層３０３の厚さはレジスト８０１の厚さよりも薄く、例えば５μｍである。（図８（Ｂ））
【００６０】
　次に、レジスト８０１がアセトン等の剥離剤を使用して除去される。（図８（Ｃ））
【００６１】
　次に、約１２０μｍの厚さのレジスト８０３が、金属薄膜層４０５及び金属配線層３０３上に形成される。続いて、ポスト形成領域８０５上に位置するレジスト８０３が除去される。
【００６２】
　次に、ポスト４０７が電解メッキによってポスト形成領域８０５に形成される。なお、ポスト４０７の厚さは、レジスト８０３の厚さよりも薄く、約１００μｍである。また、ポスト４０７は、金属配線層３０３と同一の物質で構成されている。従って、図８（Ｂ）で使用したメッキ液が使用できる。（図８（Ｄ））
【００６３】
　次に、レジスト８０５が剥離剤によって除去される。（図９（Ａ））
【００６４】
　次に、露出した金属薄膜層４０５が、酸素ガス雰囲気中でプラズマエッチングにさらされることにより、除去される。（図９（Ｂ））
【００６５】
　次に、露出された層間絶縁膜４０３の表層が、ウエットエッチングによって除去される。これにより、金属配線層３０３を流れる電流が、表層を介して他の金属配線層３０３にリークするのを防止することができる。（図９（Ｃ））
【００６６】
　次に、半導体ウエハ全体が図示しない封止金型に挿入される。続いて、この封止金型内部に封止樹脂が注入されることにより、半導体基板１０３の表面１０９側に封止樹脂１１５が形成される。封止樹脂１１５は、図示の通り、層間絶縁膜４０３、金属薄膜４０５、金属配線層３０３及びポスト４０７の側面を覆う。（図９（Ｄ））
【００６７】
　次に、封止樹脂１１５の表面が研磨され、突起電極１１３の上部表面を露出させる。封止樹脂１１５の表面と、突起電極１１３の上部表面とは、同一の平面内に位置している。
【００６８】
　次に、突起電極１１３が、スクリーン印刷法によりポスト４０７の上部表面に形成される。突起電極１１３は、半田で構成されており、直径約４００μｍの半球状である。（図１０）
【００６９】
　以上の工程が施された半導体ウエハ１１０１の表面側が、図１１に示されている。図１１は、後述する第２の工程において個片化される複数の半導体装置１０１が、半導体ウエハの状態で配置されていることを示している。これら半導体装置１０１は、複数のスクライブ領域１１０３によって互いに離間している。なお、この状態においては、各半導体装置１０１の裏面には未だ段差部１０７が設けられていないため、半導体ウエハの裏面側の図示は省略する。
【００７０】
　次に、上述の第１の工程に続く第２の工程を図１２を使用して以下に説明する。図１２は、本実施の形態の半導体装置１０１の第２の工程を示す工程図である。なお、説明を容易にするため、構成の一部の図示は省略されている。
【００７１】
　まず、図７から図１０までの工程を経た状態が図１２（A）に示されている。図１２（Ａ）には、半導体ウエハ１１０１、層間絶縁膜４０３、金属配線層３０３、ポスト４０７及び突起電極１１３が示されている。
【００７２】
　次に、ウエハリング１２０５とダイシングシート１２０７とを有するウエハ保持具１２０３が準備される。ウエハリング１２０５は、リング形状を有している。ダイシングシート１２０７は、例えば紫外線が照射されることにより接着力が低下する特性を持つUVテープが用いられる。
【００７３】
　半導体ウエハ１１０１は、突起電極１１３がこのダイシングシート１２０７に接触するように、ダイシングシート１２０７上に貼り付けられる。（図１２（Ｂ））
【００７４】
　次に、ウエハ保持具１２０３が、２つのダイヤモンド砥石１２０９を有する図示しないグラインダに搭載される。第１のダイヤモンド砥石は、粗さ＃３２５であり、第２のダイヤモンド砥石１２０９は、粗さ＃２０００である。グラインダに搭載された半導体ウエハ１１０１の裏面は、次のように研磨される。まず最初に、第１のダイヤモンド砥石によって粗く研磨され、続いて第２のダイヤモンド砥石によって細かく研磨される。これらの研磨工程により、最終的に厚さ約３１０μｍの半導体ウエハ１１０１が得られる。
【００７５】
　また、この第２のダイヤモンド砥石による研磨により、半導体ウエハの裏面が上述した鏡面状態になる。このような細かな裏面研磨が施されなければ、上述した鏡面状態が生じないかもしれない。しかしながら、次の図１２（Ｄ）の工程における、赤外線カメラによるスクライブ領域の検出を行うためには、上述の第２のダイヤモンド砥石による細かな研磨は必要である。なぜなら、半導体基板１０３の裏面の状態が粗いと、赤外線が容易に透過されないからである。（図１２（Ｃ））
【００７６】
　次に、半導体ウエハ１１０１が、ウエハリング１２０３に搭載された状態で、図示しない赤外線カメラ１２１１付きのデュアルダイシング装置に搭載される。このデュアルダイシング装置は、並設された２つのブレードを有する。本実施の形態においては、断面形状が方形状であり厚さが３０μｍである第１のブレードと、断面形状が方形状であり厚さが１５０μｍである第２のブレードが使用される。
【００７７】
　図１３には、図１２（Ｄ）の丸印Ａが付与された箇所の概略断面図が示されている。スクライブ領域１１０３の幅は、約８０μｍと規定され、このスクライブ領域１１０３の縁から電極パッド３０１の縁までの距離は、約５０μｍと規定されている。後に切断されるスクライブライン１３０１の幅は、第１のブレードの幅とほぼ同じ約３０μｍである。また、スクライブ領域の中心線を含む約１５０μｍの範囲に、図１２（Ｄ）工程において形成される段差部１０７が形成される。段差部１０７の幅は、第２のブレードの幅と同じ約１５０μｍであり、深さは約２５μｍである。
【００７８】
　図１２（Ｄ）に示されているように、まず、半導体ウエハの表面１０９側に形成された複数の電極パッド３０１もしくは金属配線層３０３のパターン形状が、赤外線カメラ１２１１によって、半導体ウエハ１１０１の裏面から認識される。それによって、半導体ウエハ１１０１の表面１０９上に存在するスクライブ領域１１０３が、ダイシング装置によって認識される。
【００７９】
　次に、第２のブレードが、スクライブ領域１１０３の中心線上に配置される。その後、半導体ウエハ１１０１の裏面１０５がこの第２のブレードによって約２５μｍ研削され（ハーフカットされる）、段差部１０７が形成される。（図１３）この段差部１０７の表面は、この第２のブレードによる研削により、鏡面状態である半導体ウエハ１１０１（半導体基板１０３）の他の裏面１０５よりも粗くなっている。第２のブレードによる研削は、半導体ウエハ１１０１の全てのスクライブ領域１１０３に対して実行される。すなわち、この第２のブレードによる研削は、全ての半導体装置１０１の４辺に対応して実行される。（図１２（Ｄ））
【００８０】
　図１４は、図１２（Ｄ）の工程における半導体ウエハ１１０１の裏面側を示す図である。第２のブレードによって形成された段差部１０７が、各半導体装置１０１の４辺に形成されていることが理解できるであろう。
【００８１】
　次に、第１のブレードが、スクライブ領域１１０３の中心線上、すなわちスクライブライン１３０１上に配置される。その後、半導体ウエハ１１０１の裏面１０５が、第１のブレードによってスクライブライン１３０１に沿って約４００μｍ研削される。（フルカットされる）この第１のブレードによる研削は、半導体ウエハ１１０１の各半導体装置１０１に対応して実行される。その結果、各半導体装置１０１が個片化される。（図１２（Ｅ））
【００８２】
　次に、半導体ウエハ１１０１がダイシングシート１２０７と共にエクスパンドリングに移し替えられる。その後、ダイシングシート１２０７が紫外線にさらされ、その接着力が低下させられる。そして、このダイシングシート１２０７は、半導体ウエハ１１０１の外周方向へ伸ばされ、各半導体装置１０１がコレットによって取り出される。
【００８３】
　以上の第２の工程を経て、最終的に図１及び図２に示された半導体装置１０１が得られる。
【００８４】
　本発明の半導体装置の効果については既に上述したが、本発明はその製造方法についても特有の効果を有している。つまり、半導体装置の裏面の周辺領域に形成される段差部１０７はダイシング工程で使用されるブレードによって形成することができるので、段差部１０７を設けるための特別な工程が実質的に不要である。よって、特別な工程を実質的に付加することなく半導体装置を得ることができる。
【００８５】
　なお、本発明の段差部１０７は、図２に示されるような形状のみならず、例えば図１５及び図１６に示される形状、すなわち傾斜形状であっても良い。この場合、段差部１０７は、傾斜部１０７と称したほうが適当かもしれない。しかしながら、本願明細書中においては、図１５及び図１６に示されるような傾斜形状も、段差形状（段差部）として説明されている。
【００８６】
　なお、図１５に示される形状を形成するためには、断面形状がＶ形状を有する第２のダイシングブレードが使用される。図１６に示される形状を形成するためには、断面形状がＵ形状を有する第２のダイシングブレードが使用される。要は、段差部もしくは傾斜部１０７は、半導体基板１０３の各側面に沿って形成されていれば良く、鏡面状態の平坦な半導体基板の裏面１０５に対して区別できる程度の粗さになっていれば良い。
【００８７】
　なお、本実施の形態において、断面形状が方形状であり厚さが１２００μｍである第2のブレードを使用すると、本願発明の効果がより強調されることが確認された。この場合、半導体装置１０１の段差部１０７の幅は、約５００μｍとなる。
【００８８】
　（第２の実施の形態）次に本発明の半導体装置の第２の実施の形態について図面を参照して以下に説明する。
【００８９】
　図１７は、本発明の半導体装置１０１の第２の実施の形態を示す平面透視図であり、図１８は図１７の線１８−１８についての概略断面図である。
【００９０】
　第２の実施の形態と第１の実施の形態との差異は、段差部１０７の形状及びその製造方法である。その他の構成については、実質的に同様であるので詳細な説明が省略されている。
【００９１】
　図１７及び図１８に示されている通り、半導体基板１０３は、裏面１０５に形成された段差部１０７（凹部、溝部とも称される。）を有する。この段差部１０７が本発明の特徴的な部分である。この段差部１０７は、半導体基板１０３の第３の側面１０９に沿って形成された段差部１７０７と、半導体基板１０３の第４の側面１２１に沿って形成された段差部１７０９と、半導体基板１０３の第１の側面１１５に沿って形成された段差部１７１１と、半導体基板１０３の第２の側面１１７に沿って形成された段差部１７１３とで構成されている。段差部１７０７の幅は約８５μｍであり、段差部１７０９の幅は約３５μｍであり、段差部１７１１及び段差部１７１３の幅は約６０μｍである。
【００９２】
　ここで、“側面に沿って”とは、各段差部が対応する側面を起点として裏面１０５に形成されていること、もしくは各段差部が対応する側面の一部が削り取られることによって裏面１０５に形成されていることを意味する。
【００９３】
　次に、本実施の形態の第２の工程を図１９を使用して以下に説明する。なお、第１の工程は、第１の実施の形態と同一であるので説明を省略する。図１９は、本実施の形態の半導体装置１０１の第２の工程を示す工程図である。また図１９（Ａ）から（Ｃ）までは第１の実施の形態と同一であるので説明を省略する。
【００９４】
　図１９（Ｄ）に示されているように、半導体ウエハ１１０１が、ウエハリング１２０３に搭載された状態で、図示しない赤外線カメラ１２１１付きのデュアルダイシング装置に搭載される。このデュアルダイシング装置は、並設された２つのブレードを有する。本実施の形態においては、断面形状が方形状であり、厚さが３０μｍである第１のブレードと、厚さが１５０μｍである第２のブレードが使用される。
【００９５】
　図２０には、図１９（Ｄ）の丸印Ａが付与された箇所の概略断面図が示されている。スクライブ領域１１０３の幅は、約８０μｍと規定され、このスクライブ領域１１０３の縁から電極パッド３０１の縁までの距離は、約５０μｍと規定されている。後に切断されるスクライブライン１３０１の幅は、第１のブレードの幅とほぼ同じ約３０μｍである。また、スクライブ領域の中心線から右側へ約１００μｍと、左側へ約５０μｍの合計約１５０μｍの範囲に、図１９（Ｄ）工程において形成される段差部１７０７が形成される。この段階では、段差部１０７の幅は、第２のブレードの幅と同じ約１５０μｍであり、深さは約２５μｍである。
【００９６】
　図１９（Ｄ）に示されているように、まず、半導体ウエハの表面１０９側に形成された複数の電極パッド３０１もしくは金属配線層３０３のパターン形状が、赤外線カメラ１２１１によって、半導体ウエハ１１０１の裏面から認識される。それによって、半導体ウエハ１１０１の表面１０９上に存在するスクライブ領域１１０３が、ダイシング装置によって認識される。
【００９７】
　次に、第２のブレードが、Ｙ軸方向（紙面の縦方向）において、スクライブ領域１１０３の中心線を含む図２０に示された上述した範囲上に配置される。その後、半導体ウエハ１１０１の裏面１０５がこの第２のブレードによって約２５μｍ研削され（ハーフカットされる）、段差部１７０７及び１７０９が形成される。（図２０）続いて、第２のブレードが、Ｘ軸方向（紙面の横方向）において、スクライブ領域１１０３の中心線上に配置される。その後、半導体ウエハ１１０１の裏面１０５がこの第２のブレードによって約２５μｍ研削され（ハーフカットされる）、段差部１７１１及び１７１３が形成される。これらの段差部１０７の表面も、この第２のブレードによる研削により、鏡面状態である半導体ウエハ１１０１（半導体基板１０３）の他の裏面１０５よりも粗くなっている。（図１９（Ｄ））図２１は、図１９（Ｄ）の工程における半導体ウエハ１１０１の裏面側を示す図である。第２のブレードによって形成された幅の広い段差部１７０７が各半導体装置１０１の左側の辺に沿って形成され、幅の狭い段差部１７０９が各半導体装置１０１の右側の辺に沿って形成されていることが理解できるであろう。また、中間の幅を有する段差部１７１１及び１７１３が、各半導体装置１０１の上側及び下側の辺に沿ってそれぞれ形成されていることが理解できるであろう。
【００９８】
　次に、第１のブレードが、スクライブ領域１１０３の中心線上、すなわちスクライブライン１３０１上に配置される。その後、半導体ウエハ１１０１の裏面１０５が第１のブレードによってスクライブライン１３０１に沿って約４００μｍ研削される。（フルカットされる）この第１のブレードによる研削は、半導体ウエハ１１０１の各半導体装置１０１に対応して実行される。その結果、各半導体装置１０１が個片化される。（図１９（Ｅ））
【００９９】
　次に、半導体ウエハ１１０１がダイシングシート１２０７と共にエクスパンドリングに移し替えられる。その後、ダイシングシート１２０７が紫外線にさらされ、その接着力が低下させられる。そして、このダイシングシート１２０７は、半導体ウエハ１１０１の外周方向へ伸ばされ、各半導体装置１０１がコレットによって取り出される。
【０１００】
　以上の第２の工程を経て、最終的に図１７及び図１８に示された半導体装置１０１が得られる。
【０１０１】
　本発明の第２の実施形態の半導体装置によれば、第１の実施の形態の半導体装置が有する効果に加えて、次のような特有の効果を有する。すなわち、半導体基板１０３の裏面に形成された段差部１０７の幅は左右非対称であるので、例えば幅の広い段差部１７０７を１ピンマークとして利用することができる。よって、半導体装置１０１をテープ＆リールに収容する工程、テープ＆リールから取り出す工程、実装基板へ搭載する工程において、半導体装置１０１の方向を正確に認識することが可能である。なお、以上の工程における認識作業が、人間の目視によるものであったとしても、同様の効果を得ることができる。
【０１０２】
　なお、本発明の段差部１０７は、図１７、図１８に示されるような形状のみならず、例えば図２２及び図２３に示される形状であっても良い。要は、段差部１０７の形状が左右非対称であれば良い。
【０１０３】
　なお、図２２のような段差部１０７を形成するためには、断面形状がＶ形状を有する第２のダイシングブレードが使用される。図２３に示される形状を形成するためには、断面形状がＵ形状を有する第２のダイシングブレードが使用される。
【０１０４】
　（第３の実施の形態）次に本発明の半導体装置の第３の実施の形態について図面を参照して以下に説明する。
【０１０５】
　図２４は、本発明の半導体装置１０１の第２の実施の形態を示す平面透視図であり、図２５は図２４の線２５−２５についての概略断面図である。
【０１０６】
　第３の実施の形態は、第1の実施の形態の段差部１０７に加えて、追加の段差部２４０１を裏面１０５に形成したことである。その他の構成については、実質的に同様であるので詳細な説明が省略されている。
【０１０７】
　図２４及び図２５に示されている通り、半導体基板１０３は、裏面１０５の周辺領域（周縁部）に形成された段差部１０７（凹部もしくは溝部とも称される。）と、追加の段差部２４０１を有する。この追加の段差部２４０１が第１の実施の形態に追加された部分であり、この段差部２４０１は半導体基板１０３の第１の側面１１５からこの第１の側面１１５に対向する第２の側面１１７へと至るように、裏面１０５に形成されている。さらにこの段差部２４０１は、第３の側面１１９の近傍の裏面１０５の中央領域に形成されている。ここで、“段差部２４０１が形成されている第３の側面１１９の近傍”とは、半導体基板１０３の中心よりも第３の側面１１９側に位置する場所であることを意味する。
【０１０８】
　追加の段差部２４０１は、図１２（Ｄ）の工程の後に、第１のブレードによって形成することができる。図２６は、半導体ウエハ１１０１の裏面側を示す図である。第１のブレードによって形成された追加の段差部２４０１が、各半導体装置１０１の左側近傍に、すなわち第３の側面１１９近傍に形成されていることが理解できるであろう。なお以上の形成方法は、当業者であれば容易に理解することができるため、詳細な説明は省略する。
【０１０９】
　本発明の第３の実施形態の半導体装置によれば、第１の実施の形態の半導体装置が有する効果に加えて、次のような特有の効果を有する。すなわち、半導体基板１０３の裏面に形成された追加の段差部２４０１を１ピンマークとして利用することができる。よって、半導体装置１０１をテープ＆リールに収容する工程、テープ＆リールから取り出す工程、実装基板へ搭載する工程において、半導体装置１０１の方向を正確に認識することが可能である。なお、以上の工程における認識作業が、人間の目視によるものであったとしても、同様の効果を得ることができる。
【０１１０】
　なお、本発明の追加の段差部２４０１は、Ｖ形状あるいはＵ形状であっても良いことは当業者であれば容易に推測できるであろう。
【図面の簡単な説明】
【０１１１】
【図１】本発明の第１の実施の形態の半導体装置１０１の裏面を示す平面透視図である。
【図２】図２は図１の線２−２についての概略断面図である。
【図３】本発明の第１の実施の形態の半導体装置１０１の表面を示す平面透視図である。
【図４】図３の線４−４についての詳細断面図である。
【図５】実装基板５０１を示す平面図である。
【図６】半導体装置１０１を実装基板５０１へ搭載する工程を示す工程図である。
【図７】本発明の第１の実施の形態の半導体装置１０１の製造方法を示す工程図である。
【図８】本発明の第１の実施の形態の半導体装置１０１の製造方法を示す工程図である。
【図９】本発明の第１の実施の形態の半導体装置１０１の製造方法を示す工程図である。
【図１０】本発明の第１の実施の形態の半導体装置１０１の第１の工程を示す工程図である。
【図１１】半導体ウエハ１１０１の表面側を示す平面図である。
【図１２】本発明の第１の実施の形態の半導体装置１０１の第２の工程を示す工程図である。
【図１３】図１２（Ｄ）の工程における丸印Ａで示された箇所の概略断面図を示す図である。
【図１４】図１２（Ｄ）の工程における半導体ウエハ１１０１の裏面側を示す図である。
【図１５】本発明の第１の実施の形態の半導体装置の変形例を示す図である。
【図１６】本発明の第１の実施の形態の半導体装置の変形例を示す図である。
【図１７】本発明の第２の実施の形態の半導体装置の裏面を示す平面透視図でである。
【図１８】図１７の線１８−１８についての概略断面図である。
【図１９】本発明の第２の実施の形態の半導体装置１０１の第２の工程を示す工程図である。
【図２０】図１９（Ｄ）の工程における丸印Ａで示された箇所の概略断面図を示す図である。
【図２１】図１９（Ｄ）の工程における半導体ウエハ１１０１の裏面側を示す図である。
【図２２】本発明の第２の実施の形態の半導体装置の変形例を示す図である。
【図２３】本発明の第２の実施の形態の半導体装置の変形例を示す図である。
【図２４】本発明の第３の実施の形態の半導体装置１０１の裏面を示す平面透視図である。
【図２５】図２４の線２５−２５についての概略断面図である。
【図２６】本発明の第３の実施の形態の半導体装置における半導体ウエハ１１０１の裏面側を示す図である。
【符号の説明】
【０１１２】
　１０１・・・半導体装置
　１０３・・・半導体基板
　１０５・・・裏面
　１０７・・・段差部
　１０９・・・表面
　１１３・・・突起電極
　１１１・・・封止樹脂
【図１】
2004040136.tif 000003
【図２】
2004040136.tif 000004
【図３】
2004040136.tif 000005
【図４】
2004040136.tif 000006
【図５】
2004040136.tif 000007
【図６】
2004040136.tif 000008
【図７】
2004040136.tif 000009
【図８】
2004040136.tif 000010
【図９】
2004040136.tif 000011
【図１０】
2004040136.tif 000012
【図１１】
2004040136.tif 000013
【図１２】
2004040136.tif 000014
【図１３】
2004040136.tif 000015
【図１４】
2004040136.tif 000016
【図１５】
2004040136.tif 000017
【図１６】
2004040136.tif 000018
【図１７】
2004040136.tif 000019
【図１８】
2004040136.tif 000020
【図１９】
2004040136.tif 000021
【図２０】
2004040136.tif 000022
【図２１】
2004040136.tif 000023
【図２２】
2004040136.tif 000024
【図２３】
2004040136.tif 000025
【図２４】
2004040136.tif 000026
【図２５】
2004040136.tif 000027
【図２６】
2004040136.tif 000028